(57)【特許請求の範囲】
【請求項１】
バルコニーや開放廊下などの外側開放部を有するところの天井面を、噴射機から噴出する高圧水で洗滌や塗膜剥離などする際に、天井面に当たって反射する跳ね返り水や剥離された塗膜片などが外部に飛散しないようにする飛散防止装置において、天井面に固着する断面アングル状の取り付け具と、その取り付け具と対向する位置に配設する断面逆コ字状の押さえ具と、外側開放部を覆うカバー体とからなり、カバー体の上辺部を、前記取り付け具に挿通したボルトと、押さえ具側に配した螺合体とを螺合して挟着するように構成したことを特徴とする高圧水や塗膜片などの飛散防止装置。
【請求項２】
前記カバー体は、合成樹脂製ネットと合成樹脂製シートの２重張りから形成されていることを特徴とする請求項１に記載の高圧水や塗膜片などの飛散防止装置。
【請求項３】
前記カバー体は、２枚の合成樹脂製ネットの間に１枚の合成樹脂製シートが介在する３重張りから形成されていることを特徴とする請求項１に記載の高圧水や塗膜片などの飛散防止装置。
【発明の詳細な説明】
【技術分野】
【０００１】
本発明は、コンクリート建造物における天井面、床面、壁面など、特にバルコニーや開放廊下などの天井面に高圧水を噴射して、洗滌や塗膜剥離など所要の処理を行う時に、高圧水や剥離された塗膜片、粉塵などが建造物の外部に飛散しないようにする装置に関するものである。
【背景技術】
【０００２】
従来、マンションやビルなどのコンクリート建造物の外壁面は、長年風雨にさらされていることから、酸性雨の浸透によるコンクリート表層部の中性化が進みヒビ割れが生じたり、あるいは塵埃などが付着して塗装面がどす黒く汚れたりする。そのままにしておくと美観を損なうばかりでなく、老朽化が進み建造物の耐久性にも影響することになり、そのため、数年毎に建造物の外壁面を美しく保つための補修工事が行われている。
【０００３】
マンションの場合は、大規模修繕工事という形で行われることが多く、その時には、外壁面ばかりでなく、内壁面、床面、天井面などの塗膜汚れ、ヒビ割れして古くなった塗膜を剥離した後、塗装することによりリニューアルが行われている。特にバルコニーや開放廊下などの天井面をリニューアルする時には、噴射機から高圧水を吹き付けて洗滌したり、古くなった塗膜を剥離しているが、バルコニーや開放廊下の外側には開放部があることから、天井面に当たって反射した跳ね返り水や剥離された塗膜片、粉塵などがその開放部から飛散していき建造物の外部にある他物を汚し、風の強い時には遠く離れた所の他物まで悪影響を与えるといった問題点があった。
【０００４】
通常、マンションの大規模修繕工事に際しては、建造物の外壁面を全体に覆う合成樹脂製の養生メッシュシートが張設されているが、このメッシュシートは作業上の危険防止と塗料ミストの外部飛散防止用として用いられているだけであり、前述のバルコニーや開放廊下などの天井面の洗滌や塗膜剥離時においては、高圧水を噴射した時の跳ね返り水や剥離された微小塗膜片がメッシュシートを透って外部へ飛散し、一部空気流と共に遠く離れた位置にまでに飛散して環境悪化問題を起こすばかりでなく、微小塗膜片や粉塵の清掃回収に多大な手間と労力を要するといった問題点があった。
【０００５】
そのような問題を解決するために、高圧水を噴出する噴射機の先端部に飛散防止カバーを取り付けて、粉塵や高圧水、剥離された塗膜片などがカバー内に入るようにしたものが提案されている（例えば、特許文献１〜３参照）。
【特許文献１】特開平６−２２５８４５号公報
【特許文献２】特開平７−３２８５５６号公報
【特許文献３】実用新案登録第３０４０００５号公報
【発明の開示】
【発明が解決しようとする課題】
【０００６】
しかしながら、上記の特許文献１〜３のものは、噴射機の先端部に飛散防止カバーを取り付けてあるため、高圧水を天井面に吹き付ける時に、天井面に当たるところが見えないために洗滌や塗膜剥離作業が正確にできなかった。また、天井面に当たり反射した跳ね返り水や剥離された塗膜片、粉塵は反射角度によって必ずしも飛散防止カバーの中に入るものではなく、カバーから漏れて周辺部を汚すことになった。さらに、高圧水が噴射する噴射機を手に持ってする作業は、噴射圧の圧力を大きく受けることになり、それだけでも保持するのが大変であるのに、噴射機の先端部に飛散防止カバーを取り付けると、先端部が重たくなり極めて重労働になり、長時間の洗滌作業や塗膜剥離作業が不可能になり作業効率の点からいってもよくなかった。
【０００７】
本発明は、上記のような問題点を解決することを課題として開発されたもので、バルコニーや開放廊下などの天井面を洗滌や塗膜剥離する時に、吹き付けた高圧水の跳ね返り水や剥離された塗膜片が外側開放部から飛散することなく、建造物周辺部の環境汚染をなくした高圧水や塗膜片などの飛散防止装置を提供することを目的とするものである。
【課題を解決するための手段】
【０００８】
上記の課題を解決し、その目的を達成する手段として、本発明は、バルコニーや開放廊下などの外側開放部を有するところの天井面を、噴射機から噴出する高圧水で洗滌や塗膜剥離などする際に、天井面に当たって反射する跳ね返り水や剥離された塗膜片などが外部に飛散しないようにする飛散防止装置において、天井面に固着する断面アングル状の取り付け具と、その取り付け具と対向する位置に配設する断面逆コ字状の押さえ具と、外側開放部を覆うカバー体とからなり、カバー体の上辺部を、前記取り付け具に挿通したボルトと、押さえ具側に配した螺合体とを螺合して挟着するように構成したことを特徴とする高圧水や塗膜片などの飛散防止装置を開発し、採用した。
【０００９】
また、本発明では、上記のように構成した高圧水や塗膜片などの飛散防止装置において、前記カバー体は、合成樹脂製ネットと合成樹脂製シートの２重張りから形成されていることを特徴とする高圧水や塗膜片などの飛散防止装置、および前記カバー体は、２枚の合成樹脂製ネットの間に１枚の合成樹脂製シートが介在する３重張りから形成されていることを特徴とする高圧水や塗膜片などの飛散防止装置を開発し、採用した。
【発明の効果】
【００１０】
本発明に係る請求項１に記載の高圧水や塗膜片などの飛散防止装置によれば、噴射機によって噴出された高圧水が天井面に当たりどのような角度で反射しても、跳ね返り水や剥離された塗膜片、粉塵などが外側開放部を覆うカバー体によって阻止され外部に飛散することがなくなり、建造物の周辺部を汚染することがない。また、カバー体は断面アングル状の取り付け具と断面逆コ字状の押さえ具の間にあり、ボルトと螺合する螺合体の締め付けによりしっかりと挟着できると共に、螺合体の緊締・弛緩により極めて容易に着けたり脱したりすることができる。
【００１１】
また、請求項２に記載の高圧水や塗膜などの飛散防止装置によれば、上記の効果に加えて、カバー体が合成樹脂製ネットと合成樹脂製シートの２重張りで形成されているから、跳ね返り水や剥離された塗膜が外部に飛散することがなく確実に阻止されると共に、内面側の合成樹脂シートで阻止された跳ね返り水や剥離片は合成樹脂シートに伝わって落下することになり散乱することがなく後始末が容易になる。また、カバー体が合成樹脂製ネットと合成樹脂製シートの２重張りで形成されているから、重くなりカバー体は風で捲りあがるようなことがなく、洗滌、剥離作業を円滑に行うことができる。
【００１２】
さらに、請求項３に記載の高圧水や塗膜などの飛散防止装置によれば、上記の効果に加えて、カバー体が２枚の合成樹脂製ネットの間に１枚の合成樹脂製シートの３重張りで形成されているから、一層跳ね返り水や剥離された塗膜の外部飛散防止を確実にすると共に、２重張りより重くなり風が強くあたる高層用の場合に適しているものである。
【発明を実施するための最良の形態】
【００１３】
以下に、本発明の実施の形態を添付図面に基づいて説明すれば、本発明に係る高圧水や塗膜片の飛散防止装置は、大別してバルコニーＢなどの天井面Ｃに固着する取り付け具１と、その取り付け具１に挿通するボルト６に吊設されるネット１２とシート１３とからなるカバー体１１と、そのカバー体１１の上辺部に当接する押さえ具２１を締め付ける螺合体３１とから構成されている。
【００１４】
そして、上記取り付け具１は、この実施の形態では、断面アングル状の金具であり、長手方向に長く形成されており、バルコニーＢなどの天井面Ｃに沿って配設される水平面２と、その水平面２の一側端を直角に折り曲げた垂直面３とからなり、水平面２の長手の方向に所定間隔毎の透孔４……４を穿設してあると共に、垂直面３のやや下方寄りに長手の方向に所定間隔毎で穿設されたボルト孔５……５にボルト６……６を挿通し、その先端部を外方に突出してある。
【００１５】
上記カバー体１１は、ポリオレフィン樹脂、オレフィン樹脂などからなる丈の長い縦長方形のラッセル織りされたネット１２と、ポリエチレン樹脂、塩化ビニール樹脂、ポリエステル樹脂などからなる丈の短いシート１３とからなる２重張りされたもの、あるいは丈の短い１枚の合成樹脂製シート１３の両面に丈の長い合成樹脂製ネット１２，１２を重ね合わせて３重張りされたものを用いる。合成樹脂製ネット１２の上辺と下辺、両側辺の周囲にはそれぞれ鳩目金具１４……１４を取り付けてあり、上辺の鳩目金具１４ａ……１４ａは、前記断面アングル状の取り付け具１のボルト孔５……５に挿通するボルト６……６と同一間隔になっている。また、合成樹脂シート１３は、合成樹脂製ネット１２のように丈を長くする必要がなく、階高の中間程度の長さであれば、跳ね返リ水や塗膜片を阻止できることから、丈を短くしてある。合成樹脂製ネット１２の長さは、階高により変わるが、バルコニーＢなどの外側開放部Ｄを覆う大きさのものであればよい。
【００１６】
上記押さえ具２１は、長手方向に長く形成された断面逆コ字状の金具であり、上部水平面２２と垂直面２３と下部水平面２４とからなり、前記取り付け具１よりも高さが高く形成されており、前記取り付け具１と対向する位置に、垂直面２３を後面として配置される。すなわち、取り付け具１の垂直面３と押さえ具２１の垂直面２３との間にカバー体１１が介在される。垂直面２３には前記取り付け具１の垂直面３に穿設されたボルト孔５……５および合成樹脂製ネット１２、合成樹脂製シート１３の上辺の鳩目金具１４ａ……１４ａと同一間隔のボルト孔２５……２５を穿設してある。
【００１７】
上記螺合体３１は、前記ボルト６……６と螺合する雌螺子を螺設した筒体３２を有する丸環であり、手動操作がしやすくなっており、ボルト６……６と螺合することにより押さえ具２１が合成樹脂製ネット１２と合成樹脂製シート１３とからなるカバー体１１の上辺を締め付け挟着するものである。
【００１８】
このように構成した各部材を用いて、バルコニーＢに飛散防止装置を設ける場合の実施の形態を説明すると、バルコニーＢの天井面Ｃの長さ方向と幅方向に断面アングル状の取り付け具１の水平面２を天井面Ｃに沿わせ、水平面２に穿設した透孔２……２からアンカーピン７……７をカールプラグ８……８に打ち込み係合させて天井面Ｃに固着する。この時、天井面Ｃと断面アングル状の取り付け具１の水平面２の一側辺側に細幅帯状のスポンジテープ９を貼着して天井面Ｃに取り付けることにより、天井面の凸凹と取り付け具の水平面との隙間をなくすることができ、天井面に高圧水を吹き付けた時に、隙間から洗滌水が外部に噴出すことがなくなる。
【００１９】
断面アングル状の取り付け具１の垂直面３には、所定間隔毎のボルト孔５……５が穿設されていると共に、そのボルト孔５……５にボルト６……６を挿通し、その先部から合成樹脂製ネット１２の上辺部に設けた鳩目金具１４ａ……１４ａと、合成樹脂製シート１３の上辺部に設けた鳩目金具１４ａ……１４ａを通して吊設する。これによりバルコニーＢの外側開放部Ｄがカバー体１１で覆われたことになる。その後、押さえ具２１の垂直面２３を後面としてカバー体１１に当接させると共に、ボルト６……６に螺合体３１を螺合することにより合成樹脂製ネット１２と合成樹脂製シート１３とからなるカバー体１１が断面アングル状の取り付け具１と断面コ字状の押さえ具２１とによりしっかりと挟着されるものである。
【００２０】
また、カバー体１１の下辺部は、図５に示すように、外側になる合成樹脂製ネット１２の下辺部に設けた鳩目金具１４ｂ……１４ｂの上にロープ３３を配し、鳩目金具１４ｂ……１４ｂに通した止め紐３４をロープ３３に括り付け、合成樹脂製ネット１２がだぶつき風で揺らぐように張設してある。
【００２１】
このように構成した飛散防止装置は、図８に示すように、バルコニーＢの天井面Ｃを、噴出機により高圧水を吹き付けて洗滌したり、塗膜剥離を行う時に、天井面Ｃに当たって反射した高圧水や剥離された塗膜片が丈の短い合成樹脂製シート１３および丈の長い合成樹脂製ネット１２からなるカバー体１１により完全に飛散防止され、建造物外部に飛散することがなくなり環境汚染を防ぐことができる。また、合成樹脂製シート１３は、丈が短いことから光を遮ることがなく、バルコニーＢが暗くならないので作業がやりやすくなる
。
【００２２】
さらに、跳ね返り水や剥離された塗膜片、粉塵などを阻止するカバー体１１は、螺合体３１の緊締・弛緩により極めて容易に着けたり脱したりすることができると共に、既設のバルコニーや開放廊下などの天井面に飛散防止装置を固着すればそのまま利用することができる至便性がある。
【００２３】
また、カバー体１１は丈の長い合成樹脂製ネット１２と丈の短い合成樹脂製シート１３の２重張りであるから、重くなり風が吹いても舞い上がるようなことがなく、強風時においても、洗滌、剥離作業を施工することができる。また、２枚の合成樹脂製ネット１２，１２の間に１枚の合成樹脂製シート１３とした３重張りを用いると、２重張りより重くなって一層飛散防止が図られると共に、風が強くあたる高層用に適しているものである。
【００２４】
以上、本発明の実施の形態では、断面アングル状の取り付け具１をバルコニーＢの内側とし、断面コ字状の押さえ具２１を外側にして螺合体３１をバルコニーＢの外側から螺合する例で説明したが、必ずしもこの実施の形態に限定されるものではなく、断面アングル状の取り付け具１をバルコニーの外側とし、断面コ字状の押さえ具２１を内側とし螺合体３１をバルコニーＢの内側からすることもある。また、合成樹脂シート１３の丈を短くした例で説明したが、これに限ることはなく丈の長い場合もある。要するに、本発明の目的を達成でき、かつ発明の要旨を逸脱しない範囲内において種々の設計変更が可能であることは言うまでもない。
【産業上の利用可能性】
【００２５】
本発明は、マンションのバルコニーの天井面や開放廊下の天井面など外側開放部を有するところの天井面に限らず、床面や壁面の洗浄、剥離作業においても有効に利用することができる。
【図面の簡単な説明】
【００２６】
【図１】断面アングル状の取り付け具の簡略斜視図である。
【図２】断面コ字状の押さえ具の簡略斜視図である。
【図３】飛散防止カバー体の分解斜視図である。
【図４】別の飛散防止カバー体の分解斜視図である。
【図５】飛散防止カバーの下端部の固定を示す説明図である。
【図６】飛散防止装置の取り付け状態を示す一部断面図である。
【図７】別の飛散防止装置の取り付け状態を示す一部断面図である。
【図８】施工状態を示す説明図である。
【符号の説明】
【００２７】
１    断面アングル状の取り付け具
９    スポンジテープ
１１  カバー体
１２  合成樹脂製ネット
１３  合成樹脂製シート      
２１  断面コ字状の押さえ具
Ｂ    バルコニー
Ｃ    天井面
Ｄ    外側開放部  
【図１】
0004657310.tif 000002
【図２】
0004657310.tif 000003
【図３】
0004657310.tif 000004
【図４】
0004657310.tif 000005
【図５】
0004657310.tif 000006
【図６】
0004657310.tif 000007
【図７】
0004657310.tif 000008
【図８】
0004657310.tif 000009